(57)【特許請求の範囲】
【請求項１】
灯火照明体の燃焼炎の上方を囲む上面部材と、周囲を囲う側面部材とからなる灯火照明体用ホヤであって、該上面部材と側面部材を網状の金属素材で構成して、２つの部材を組み立て一体化するとともに、該網状の金属素材からなる側面部材の網孔から空気をホヤ内に流入させて灯火照明体を燃焼させ、加熱された排気を網状の金属素材からなる上面部材の網孔から放出するよう構成したことを特徴とする可燃物への着火を防止した灯火照明体用ホヤ。
【請求項２】
該側面部材が、孔径４．０ｍｍ以下の金属素材からなる網状体であることを特徴とする請求項１記載の可燃物への着火を防止した灯火照明体用ホヤ。
【請求項３】
該上面部材は、側面部材の上端開口内の燃焼火炎が当たる部分に、平板状の金属素材からなる上面板が収納され、該上面板の周囲に複数の支持部材を取着し、該支持部材で上面板と側面部材の上端内壁間を連結して、上面板と側面部材の上端内壁間に通気孔を形成するとともに、該網状の金属素材からなる側面部材の網孔から空気をホヤ内に流入させて灯火照明体を燃焼させ、加熱された排気を通気孔から放出するよう構成したことを特徴とする請求項１記載の可燃物への着火を防止した灯火照明体用ホヤ。
【請求項４】
請求項１及び３記載の上面部材及び金属素材からなる側面部材が一体化された灯火照明体用ホヤを立設する灯火照明体用燭台であって、該ホヤの下端が差し込み可能なリング状溝と、該溝に沿って磁石が取着され、網状の金属素材からなる側面部材を該リング状溝に着脱自在に固定するよう構成したことを特徴とする灯火照明体用燭台。
【発明の詳細な説明】
【０００１】
【発明が属する技術分野】
本発明は、主に屋内において仏壇やテーブル上で使用され、紙、布等の可燃物と接触しても容易には着火しないように構成した、火災を防止した灯火照明体用ホヤ及び灯火照明体用燭台に関するものである。
本発明でいう灯火照明体とは、例えばろうそく、オイルランプ、オイルキャンドル等の燃焼火炎を伴う照明体である。
【０００２】
【従来の技術】
従来より灯火照明体による火災が社会問題化しており、その中には露出した燃焼火炎の可燃物への着火による火災が数多く報告されている。通常、ろうそくを立設し周囲に可燃物が存在しない時には火災を生ずる危険性はないが、該ろうそくが転倒することにより、また転倒しなくても可燃物がろうそくの燃焼火炎に接触もしくは近接することにより火災の危険性を生じることになる。
【０００３】
燃焼中のろうそくの自立時あるいは転倒時での自己消火技術については、これまでに様々な提案がされている。実公昭６２−３０７３８号には、燃焼火炎を中空覆体で確実に覆って引火作用で火災が起きるのを防止するろうそく立ての安全器が提案されている。さらに特開平９ー６９３１１には、少なくとも下面壁が下に凸形状を有する皿状体により構成された可燃物着火防止装置および同装置を具備した灯火照明体が、特開平９ー６９３１２には、少なくとも２個の積層部材を上下に間隔を保った積層状態とし構成した可燃物着火防止装置および同装置を具備した灯火照明体が提案されている。
【０００４】
【発明が解決しようとする課題】
しかし上記した実公昭６２−３０７３８号に提案されたものでは、該中空覆体は、燃焼の進みに応じて嵌合バイメタルの膨張、収縮作用で燃焼火炎を消すことなく下降動作し、その燃焼が継続されている間中、燃焼火炎を覆って灯火を安全に遂行させるというものであるが、そのバイメタルの作動の確実性には問題があり、そればかりか、中空覆体がろうそく先端部をすっぽりと覆ってしまうものであるため、ろうそくの照明機能および燃える炎を眺める装飾的効果機能を殆ど減じてしまうものである。このように、従来提案されているものの多くは、機械的で複雑な機構手段を用いるものであるため、ろうそくを燃焼させた時の本来の照明効果ならびに視覚効果を減じてしまい、テーブル等で使用するには実際上極めて抵抗感があり利用しづらいというものがほとんどである。
【０００５】
さらに特開平９ー６９３１１及び特開平９ー６９３１２に提案されている可燃物着火防止装置や同装置を具備した灯火照明体は、機能的には目指す目的を十分に達成するものであるが、作成に多くの工程と手間暇がかかり、そのため安価に作成することができず、一般に広く普及するには障害となっている。
【０００６】
したがって本発明の目的は、主に屋内において通常の照明、装飾具として仏壇やテーブル上で使用される灯火照明体において、燃焼火炎による紙、布等の可燃物への着火を防止しようとするのに、上記の如き従来法での問題点、すなわち、灯火照明体の照明効果ならびに視覚効果を減じてしまったり、テーブル等で使用するには利用しづらかったり、作成に多くの工程と手間暇がかかり、そのため安価に作成することができず、一般に広く普及するには障害となっている、等の問題点を克服し、さらに灯火照明体の装飾効果をより高め、また安価に作成でき、簡便簡易に使用でき、一般に広く普及が可能な形態としての火災防止機能を有した、可燃物への着火を防止する灯火照明体用ホヤ及び燭台を提供しようとするものである。
【０００７】
すなわち、第一の発明は、灯火照明体の燃焼炎の上方を囲む上面部材と、周囲を囲う側面部材とからなる灯火照明体用ホヤであって、該上面部材と側面部材を網状の金属素材で構成して、該２つの部材を一体化するとともに、該網状の金属素材からなる側面部材の網孔から空気をホヤ内に流入させて灯火照明体を燃焼させ、加熱された排気を網状の金属素材からなる上面部材の網孔から放出するよう構成したことを特徴とする可燃物への着火を防止した灯火照明体用ホヤである。
更に、第二の発明は、該側面部材が、網の孔径が４．０ｍｍ以下の金属素材からなる網状体であることを特徴とする第一の発明記載の可燃物への着火を防止した灯火照明体用ホヤである。
第三の発明は、  該上面部材は燃焼火炎が当たる部分に平板状の金属素材からなる上面板を設け、該上面板の周囲に複数の支持部材を取着し、該上面部材を側面部材の上端開口に取着して、上面板と側面部材の上端開口の間に通気孔を形成するとともに、該網状の金属素材からなる側面部材の網孔から空気をホヤ内に流入させて灯火照明体を燃焼させ、加熱された排気を通気孔から放出するよう構成したことを特徴とする第一の発明記載の可燃物への着火を防止した灯火照明体用ホヤである。
また、第四の発明は、第一及び第三発明に記載の上面部材及び金属素材からなる側面部材が一体化された灯火照明体用ホヤを立設する灯火照明体用燭台であって、該ホヤの下端が差し込み可能なリング状溝と、該溝に沿って磁石が取着され、網状の金属素材からなる側面部材を該リング状溝に着脱自在に固定するよう構成したことを特徴とする灯火照明体用燭台である。
【０００８】
主に屋内において通常の照明、装飾具として仏壇やテーブル上で使用される灯火照明体と共に、本発明の可燃物への着火を防止する灯火照明体用ホヤ及び燭台を使用すれば、該灯火照明体用ホヤ及び燭台の上記構成により、該灯火照明体の燃焼火炎による紙、布等の可燃物への着火が防止でき、また、該灯火照明体用ホヤ及び燭台に紙、布等の可燃物が接触、載置された場合でも該可燃物への着火が防止できる。さらに、安価に作成でき、簡便簡易に使用でき、一般に広く普及が可能な可燃物への着火を防止する灯火照明体用ホヤ及び燭台である。さらに、該ホヤ側面部材下端が該台座に嵌着し着脱自在な固定構造となっているか、磁力により台座に固着し着脱自在な固定構造となっており、転倒しても該ホヤが該台座より容易には離脱しないように構成することにより、万一該燭台が転倒した際にも、火災につながることのない、安全な燭台を提供できることとなった。
さらに、本発明の該灯火照明体用ホヤ及び燭台は、墓参時での使用等、屋外での使用においても、その目的の可燃物への着火を防止するという機能を十分に果たすものであり、その使用範囲は屋内に限定されず屋外に置いても使用可能である。
【０００９】
【発明の実施の形態】
以下に、上記本発明の可燃物への着火を防止する灯火照明体用ホヤ及び燭台の一例を図面にて説明する。
図１は、本発明の可燃物への着火を防止する灯火照明体用ホヤの一例を示した斜視図である。灯火照明体用ホヤ１は灯火照明体５の燃焼火炎６の上方及び周囲を囲むように構成されており、灯火照明体用ホヤ上面部材２及び灯火照明体用ホヤ側面部材３は網状とした金属素材で構成されている。さらに、該ホヤ側面部材３上端には上方通気孔４が設けられている。
さらに、図２は、本発明の可燃物への着火を防止する灯火照明体用燭台の一例を示した斜視図である。灯火照明体用燭台７は、灯火照明体設置部８を有する台座９と本発明の灯火照明体用ホヤ１とで構成されている。
図３及び図４には本発明の灯火照明体用ホヤ１の一例を、図５及び図６には本発明の灯火照明体用燭台７の一例を示している。
【００１０】
灯火照明体用ホヤ上面部材２は、該ホヤ上面部材２の少なくとも燃焼火炎の真上に当たる部分は、平板状又は網状とした金属素材で構成されているかあるいはガラス素材で構成される。該ホヤ上面部材２の少なくとも燃焼火炎６の真上に当たる部分以外の部分は、不燃性又は難燃性の他の素材を使用しても良いが、該ホヤ上面部材２全体が平板状又は網状とした金属素材で構成されているかあるいはガラス素材で構成されるのが望ましい。ここで金属素材としてはスチール、ブリキ、アルミニウム、鉄、銅、真鍮、ステンレス等が使用でき、またガラス素材としては、耐熱ガラスのみならず一般的に使用されている、鉛ガラス等も使用可能である。これら上記の素材を部分的に組み合わせて構成させることも可能である。その形状は、平板状やドーム状等の灯火照明体用ホヤ１全体の形状に沿ったものが、ろうそく等の交換時にも邪魔にならず好ましい。網状とした金属とは、細長い形状の金属を互いに絡み合わせて網状と成したものばかりでなく、いわゆる打抜金網又はパンチングメタルと呼ばれているものも含む。この、打抜金網又はパンチングメタルの打抜孔の形状は、円形、楕円形、四角形、ひし形と云った一般的な形状ばかりでなくその他の様々な形状とすることもできる。該打抜孔のパターンの一例を図１０に示す。
【００１１】
灯火照明体用ホヤ側面部材３は、燃焼火炎６を透視できるよう少なくとも該ホヤ側面部材３の一部は、網状とした金属素材又はガラス素材で構成されている。該ホヤ側面部材３の該燃焼火炎６を透視する部分以外の部分は、不燃性又は難燃性の他の素材を使用しても良いが、該ホヤ側面部材３全体が網状とした金属素材又はガラス素材で構成されるのが望ましい。これら上記の素材を部分的に組み合わせて構成させることも可能である。該ホヤ側面部材３の形状は、その形状を問わないが、円柱、楕円柱、角柱、円錐、円錐台、楕円錐、角錐、角錐台等の形状やそれらの組み合わせが、取り扱いやすくまた作成も簡単であり、通常の使用には好ましい。また灯火照明体用ホヤ上面部材２と同様に、網状とした金属とは、細長い形状の金属を互いに絡み合わせて網状と成したものばかりでなく、いわゆる打抜金網又はパンチングメタルと呼ばれているものも含む。
【００１２】
本発明の可燃物への着火を防止する灯火照明体用ホヤ１は、灯火照明体用ホヤ上面部材２周囲部又は灯火照明体用ホヤ側面部材３上端近傍に上方通気孔４を設ける構成とすることもできる。灯火照明体５の燃焼火炎６により熱せられた上昇気流は該上方通気孔４より該ホヤ１外部に速やかに流出し、該ホヤ上面部材２及び該ホヤ側面部材３の上部部分が過度に熱せられるのを防ぐことができる。さらに該上方通気孔４を設ければ、該ホヤ側面部材３の上部部分を指等で触った際の火傷を防ぐ手段となり得る。その形状及び大きさは特に限定されないが、可燃物が該上方通気孔４より該ホヤ１内部に入り込むことのない大きさと設置場所であることが必要である。
【００１３】
灯火照明体用ホヤ上面部材２が過度に熱せられるのを防ぐためには、該ホヤ上面部材２の上部に、図３（ａ）に示すように放熱板１０を設けることもできる。該放熱板１０は該ホヤ上面部材２と同等の素材で構成でき、また、該ホヤ上面部材２の受ける熱を効率良く外部へ放出するために、表面積の大きな構成であることが必要である。さらに取り扱い時に邪魔にならない形状とする配慮がされることが好ましい。
さらに、該ホヤ上面部材２が燃焼火炎６により熱せられることによる塗装の変色や材質の変質、劣化を防ぐために、該ホヤ上面部材２の下面又は下部に、図３（ｂ）および（ｃ）に示すように保護板１２を設けることもできる。該保護板１２は該燃焼火炎６の真上に設けられ、図３（ｂ）に示すように該ホヤ上面部材２の下部に接して取り付けることもできるし、図３（ｃ）に示すように該ホヤ上面部材２の下部からわずかに距離を置いて取り付けることもできる。該保護板１２は、該燃焼火炎６による上昇気流の流れを妨げないように、小型のものとするのが好ましい。図３（ｂ）に示す構成は作成が容易であり安価に作成するには有利である。一方図３（ｃ）に示す構成は作成には図３（ｂ）に示す構成よりも手順が必要であるが、該ホヤ上面部材２が該燃焼火炎６の熱により熱せられるのを防ぐ効果はよりすぐれている。その取り付け手段としては、溶接、磁着、嵌着、接着等の公知の取り付け手段が使用可能である。
【００１４】
灯火照明体用ホヤ上面部材２と灯火照明体用ホヤ側面部材３とは一体として構成される場合と、脱着自在に構成される場合がある。素材や形状との兼ね合いで取り扱いや作成に都合の良い方を選択すれば良い。
【００１５】
本発明の灯火照明体用燭台７の台座９は、該燭台７の転倒を防ぐために重量のある構成が好ましい。その形状及び大きさは特に限定されない。該台座９は図５に示すように、脚のある形状とすることもできる。また、該台座９に下方通気孔を設けると、該ホヤ側面部材３がガラス素材の場合などでは燃焼用空気が通気孔からホヤ内へ供給されて灯火照明体の燃焼に貢献する。
また該台座９に設けられる灯火照明体立設部８は、針状のもの、灯火照明体を挟み込んで立設させる等、通常行われている灯火照明体の立設手段が採用される。
【００１６】
本発明の灯火照明体用燭台７において、図６（ａ）に示すように灯火照明体用ホヤを構成する側面部材３の下端が差し込み可能なリング状溝１４と、該溝に沿って磁石１５が取着される。網状の金属素材からなる側面部材３はその端部を該リング状溝１４に嵌め込むと磁石１５で固定することができる。また図６（ｂ）に示すように、該側面部材３の下端に設けられた係止片１６と係合する係止部１７が設けられた複数のスプリング片１８をリング状に立設し、側面部材３の下端を複数のスプリング片１８に嵌入させると、該側面部材３の下端に設けられた係止片１６がスプリング片１８に設けられた係止部１７と係合し側面部材３を灯火照明体用燭台７に固定させることができる。従来の燭台に従来のホヤを立設させてろうそくを灯した際に、ホヤが転倒した場合は、図７に示すように台座よりホヤが離脱し、ろうそくの燃焼火炎が剥きだしとなって火災の危険が発生する。一方、本発明の燭台７を使用したホヤ内にろうそくを灯した際には、ホヤが万一転倒した場合にも図８に示すように、燃焼火炎６がホヤ内部に留まって、燭台７の外部の可燃物に着火することはない。
【００１７】
灯火照明体用ホヤ上面部材２および灯火照明体用ホヤ側面部材３の構成に、金属素材の網状体が使用されている場合は、燃焼火炎６を該網状体を通して視認することができると共に、燃焼に必要な空気の取り入れや上昇気流による燃焼熱の放出に有利な構成と言える。よって、灯火照明体用ホヤ１が過度に加熱されたり、空気の取り入れがうまくいかず、該燃焼火炎６が揺らいだり燃焼状態不良となることを防ぐことができる。
さらに、該ホヤ側面部材３が金属素材の網状体で構成される場合においては、該網状体の孔径が４．０ｍｍ以下であれば該燃焼火炎６は該網状体の孔から外部に出ることはなく、該燃焼火炎６は該灯火照明体用ホヤ１内部に留まるので、より安全性の高い燭台と言える。
【００１８】
【実施例】
以下、さらに比較例、実施例を用いて本発明をさらに具体的に説明する。
実施例１および２、比較例１および２；  孔径２．０ｍｍ、開孔率３５．７％の打抜金網を外径５８ｍｍ、高さ１２０ｍｍの図９に示す円筒形状に成形したホヤを用いた燭台を比較例１サンプルとし、比較例１サンプルのホヤ上面部材に、外径５８ｍｍの上記の打抜金網を載置固定したホヤを用いた、図５（ａ）に示す燭台を実施例１サンプルとした。また、外径１００ｍｍ、高さ１２０ｍｍの硬質ガラス製の円筒形状のホヤを用いた燭台を比較例２サンプルとし、比較例２サンプルのホヤ上面部材に、外径１００ｍｍの上記の打抜金網を載置固定したホヤを用いた、図４（ｆ）に示す燭台を実施例２サンプルとした。
次に上記４種類のサンプルの台座中央のろうそく設置部に長さ５０ｍｍ、直径８ｍｍの同型同寸のろうそくをセットし、点火した。その５分後に、実施例１サンプルおよび実施例２サンプルは、ホヤ上面部材金網上に市販のティッシュペーパーを載せ、また、比較例１サンプルおよび比較例２サンプルは、ホヤ頂部中央に市販のティッシュペーパーをピンセットにて保持させ、ティッシュペーパーへの着火の有無を観察した。
比較例１サンプルおよび比較例２サンプルでは、５秒程度でティッシュペーパーに着火し燃え上がったのに対し、実施例１サンプルおよび実施例２サンプルでは、ろうそくが自然消火するまで、ティッシュペーパーが部分的に焦げる程度であった。
【００１９】
実施例３および比較例３；  本試験は、燭台が転倒した際にホヤと灯火照明体を載置する台座とを離脱させない手段を付加させることにより火災に対する安全性を評価するものである。
実施例１に用いた燭台でホヤを図６（ａ）に示すように、磁石で台座に固定できるようにした燭台を、実施例３サンプルとする。また、比較例１に用いた燭台と同形状同寸法で素材が塩化ビニル樹脂で作成した円筒形ホヤに置き換えた燭台を比較例３サンプルとする。
実施例３サンプルおよび比較例３サンプルそれぞれ３個ずつの台座中央のろうそく設置部に長さ５０ｍｍ、直径８ｍｍの同型同寸のろうそくをセットし、点火した。そして、点火５分後にすべての燭台を転倒させ、ろうそくの燃焼火炎の挙動を観察した。
比較例３サンプルのうち２個は台座よりホヤが離脱し、図７のようにろうそくの燃焼火炎が剥き出しで燃え続けた。また、残りの１個はホヤと台座が離脱することはなかったが、ろうそくの炎で塩化ビニル樹脂を熔かしつつ黒煙を上げながら炎を出し燃えた。
一方、実施例３サンプルはすべて、転倒の際に台座とホヤが離脱することはなく、図８のようにホヤ内で燃えるのみであった。さらに、ろうそくの炎の上方のホヤの上に市販のティッシュペーパーを載せても、部分的に焦げるのみで燃え上がることはなかった。
【００２０】
実施例４ないし７、比較例４および５；  実施例３に用いた燭台で側面部材の孔径を５．０ｍｍ、４．５ｍｍ、４．０ｍｍ、３．０ｍｍ、２．０ｍｍ、１．５ｍｍとしたものを用意し、それぞれ孔径５．０ｍｍのものを比較例４サンプル、孔径４．５ｍｍのものを比較例５サンプル、孔径４．０ｍｍのものを実施例４サンプル、孔径３．０ｍｍのものを実施例５サンプル、２．０ｍｍのものを実施例６サンプル、１．５ｍｍのものを実施例７サンプルとする。
上記６種類のサンプルの台座中央のろうそく設置部に長さ５０ｍｍ、直径８ｍｍの同型同寸のろうそくをセットし、点火した。その５分後にすべての燭台を転倒させ、さらに、ろうそくの炎の上方のホヤの上に市販のティッシュペーパーを載せてその様子を観察した。
比較例４サンプルでは約１０秒でティッシュペーパーに着火し燃え上がった。比較例５サンプルでは約２２秒でティッシュペーパーに着火し燃え上がった。これに対し実施例４サンプルないし実施例７サンプルでは、ろうそくが自然消火するまでティッシュペーパーが部分的に焦げる程度で燃え上がることはなかった。
【００２１】
【発明の効果】
上記構成により、本発明の可燃物への着火を防止する灯火照明体用ホヤ及び燭台は以下に記載するような効果をもたらす。
主に屋内において通常の照明、装飾具として仏壇やテーブル上で使用される灯火照明体と共に、本発明の可燃物への着火を防止する灯火照明体用ホヤ及び燭台を使用すれば、該灯火照明体の燃焼火炎による紙、布等の可燃物への着火が防止でき、また、該灯火照明体用ホヤ及び燭台に紙、布等の可燃物が接触、載置された場合でも該可燃物への着火が防止できる。さらに、安価に作成でき、簡便簡易に使用でき、一般に広く普及が可能な可燃物への着火を防止する灯火照明体用ホヤ及び燭台である。さらに、該ホヤ側面部材下端が該台座に嵌着されるか又は磁力により固定されており、転倒しても該ホヤが該台座より容易には離脱しないように構成することにより、万一該燭台が転倒した際にも、火災につながることのない、安全な燭台を提供できることとなった。
さらに、本発明の該灯火照明体用ホヤ及び燭台は、墓参時での使用等、屋外での使用においても、その目的の可燃物への着火を防止するという機能を十分に果たすものであり、その使用範囲は屋内に限定されず屋外に置いても使用可能である。
【図面の簡単な説明】
【図１】本発明の可燃物への着火を防止する灯火照明体用ホヤの一例を示す斜視図である。
【図２】本発明の可燃物への着火を防止する灯火照明体用燭台の一例を示す斜視図である。
【図３】本発明の可燃物への着火を防止する灯火照明体用ホヤの他の一例を示す斜視図および断面図である。
【図４】本発明の可燃物への着火を防止する灯火照明体用ホヤのさらに他の一例を示す斜視図である。
【図５】本発明の可燃物への着火を防止する灯火照明体用燭台の他の一例を示す斜視図である。
【図６】本発明の可燃物への着火を防止する灯火照明体用燭台のさらに他の一例を示す断面図である。
【図７】従来の灯火照明体用燭台が転倒した際の一例を示す斜視図である。
【図８】本発明の可燃物への着火を防止する灯火照明体用燭台が転倒した際の一例を示す斜視図である。
【図９】従来の灯火照明体用燭台の一例を示す斜視図である。
【図１０】本発明の可燃物への着火を防止する灯火照明体用ホヤに使用される、打抜金網又はパンチングメタルの打抜孔の形状のパターンの一例を示す模式図である。
【符号の説明】
１    可燃物への着火を防止する灯火照明体用ホヤ
２    灯火照明体用ホヤ上面部材
３    灯火照明体用ホヤ側面部材
４    上方通気孔
５    灯火照明体
６    燃焼火炎
７    可燃物への着火を防止する灯火照明体用燭台
８    灯火照明体設置部
９    台座
１０  放熱板
１１  磁石
１２  保護板
【図１】
0004280875.tif 000002
【図２】
0004280875.tif 000003
【図３】
0004280875.tif 000004
【図４】
0004280875.tif 000005
【図５】
0004280875.tif 000006
【図６】
0004280875.tif 000007
【図７】
0004280875.tif 000008
【図８】
0004280875.tif 000009
【図９】
0004280875.tif 000010
【図１０】
0004280875.tif 000011